(57)【要約】【課題】個別空間内の照度や、個別空間の使用者の心理的な状況に応じて、区画状態を変更することが出来る可変間仕切り構造を提供することを目的とする。【解決手段】空間を複数の空間に区画するための可変間仕切り構造であって、可変パネル本体１１は、基本仕切り体２のいずれかの表面から所定寸法離間した位置で、表面に沿って配設されており、可変パネル本体１１を基本仕切り体側端２ｂより内方にその大部分を格納することができる格納状態と、可変パネル本体１１を基本仕切り体側端２ｂより外方にその大部分を突出させるように配置した突出状態との間で、態様を変更可能とした。【選択図】図１
2015081419.tif 000002
【特許請求の範囲】
【請求項１】
空間を複数の空間に区画するための可変間仕切り構造であって、可変間仕切りは、床面上に立設された基本仕切り体と、平板状の可変パネル本体と、を有しており、前記可変パネル本体は、前記基本仕切り体のいずれかの表面から所定寸法離間した位置で、表面に沿って配設されており、前記可変パネル本体を前記基本仕切り体側端より内方にその大部分を格納することができる格納状態と、前記可変パネル本体を前記基本仕切り体側端より外方にその大部分を突出させるように配置した突出状態との間で、態様を変更可能としたことを特徴とする可変間仕切り構造。
【請求項２】
前記可変パネル本体を、前記基本仕切り体に対し回動可能に支持する支持部材を備えることを特徴とする請求項１に記載の可変間仕切り構造。
【請求項３】
前記可変パネル本体の回動動作を規制するダンパー装置が設けられていることを特徴とする請求項２に記載の可変間仕切り構造。
【請求項４】
可変パネル本体の外周は、略円弧形状に形成されていることを特徴とする請求項１ないし３のいずれかに記載の可変間仕切り構造。
【発明の詳細な説明】
【技術分野】
【０００１】
本発明は、医療施設や介護施設等において、複数の個別空間を互いに区画する際に使用される仕切り体の取り付けられる可変間仕切り構造に関する。
【背景技術】
【０００２】
医療施設や介護施設等においては、医師や看護師が患者に対して治療や看護等の医療行為を行ったり、患者が休息するための個別空間が不可欠である。多くの医療施設や介護施設では、多くの患者に対して医療行為を可能としているため、こうした個別空間は複数設けられているケースが一般的である。また、医療行為を行いやすくすると共に、患者への負荷を低減するため、ベッドやリクライニングチェア等の各患者が横たわることができる什器が設置されていることが望ましい。また、患者が横たわることができる個別空間においては、各患者のプライバシーを保護するため、それぞれの個別空間を区画して配置されていることが求められている。
【０００３】
特に、点滴治療を行ったり、医療行為後に患者が休息するための個別空間は、施設内のスペースを有効に活用するために個別空間同士が隣接して設置されている場合が多いため、個別空間が区画して配置されていることは必要不可欠とされていた。
【０００４】
こうした、それぞれの空間同士を区画する方法としては、カーテンやスタンドパネル等の衝立装置や、間仕切りや格納什器等の区画什器を用いることが一般的であった（たとえば、特許文献１−４参照）。
【先行技術文献】
【特許文献】
【０００５】
【特許文献１】特許第４１８７１７３号公報
【特許文献２】特開２０１０−１９６４０１号公報
【特許文献３】特開２０１０−２１６１０８号公報
【特許文献４】特開平０７−０３４５７３号公報
【発明の概要】
【発明が解決しようとする課題】
【０００６】
しかし、特許文献１−４のように室内空間内に高さのある衝立装置や区画什器を設置してしまうと、これらによって天井照明を遮ることになってしまうため、各空間内の照度が落ちてしまうと共に、閉塞感が高くなり患者に圧迫感を与えてしまうという問題を有していた。
【０００７】
本発明は、個別空間内の照度や、個別空間の使用者の心理的な状況に応じて、区画状態を変更することが出来る可変間仕切り構造を提供することを目的とする。
【課題を解決するための手段】
【０００８】
本発明の可変間仕切り構造は、
空間を複数の空間に区画するための可変間仕切り構造であって、可変間仕切りは、床面上に立設された基本仕切り体と、平板状の可変パネル本体と、を有しており、前記可変パネル本体は、前記基本仕切り体のいずれかの表面から所定寸法離間した位置で、表面に沿って配設されており、前記可変パネル本体を前記基本仕切り体側端より内方にその大部分を格納することができる格納状態と、前記可変パネル本体を前記基本仕切り体側端より外方にその大部分を突出させるように配置した突出状態との間で、態様を変更可能としたことを特徴としている。
この特徴によれば、可変パネル本体が、基本仕切り体のいずれかの表面から所定寸法離間した位置で、表面に沿って配設されており、可変パネル本体を前記基本仕切り体側端より内方にその大部分を格納することができる格納状態と、可変パネル本体を基本仕切り体側端より外方にその大部分を突出させるように配置した突出状態との間で、態様を変更可能としたので、個別空間内の照度や、個別空間の使用者の心理的な状況に応じて、区画状態を変更することができる。
【０００９】
本発明の可変間仕切り構造は、
前記可変パネル本体を、前記基本仕切り体に対し回動可能に支持する支持部材を備えることを特徴としている。
この特徴によれば、可変パネル本体を、基本仕切り体に対し回動可能に支持する支持部材を備えたので、容易に可変パネル本体を回動して、区画状態を変更することができる。
【００１０】
本発明の可変間仕切り構造は、
前記可変パネル本体の回動動作を規制するダンパー装置が設けられていることを特徴としている。
この特徴によれば、可変パネル本体の回動動作を規制するダンパー装置が設けられているので、回動動作時に使用者が基本仕切り体と可変パネル本体との間に手を挟むリスクを低減し、使用時の安全性を高めることができる。
【００１１】
本発明の可変間仕切り構造は、
前記可変パネル本体の外周は、略円弧形状に形成されていることを特徴としている。
この特徴によれば、可変パネル本体の略外周が円弧形状に形成されているので、回動動作時に突出部が形成されることがなく、使用時の安全性を高めることができる。
【図面の簡単な説明】
【００１２】
【図１】可変パネル本体を格納した状態を示す斜視図である。
【図２】可変パネル本体を突出させた状態を示す斜視図である。
【図３】可変パネル本体を支持する支持部材を示す分解斜視図である。
【図４】可変パネル本体の操作状態を示す図である。
【図５】可変パネル本体を支持する支持部材の他の実施例を示す図である。
【発明を実施するための形態】
【００１３】
本発明に係る可変間仕切り構造を実施するための形態を図１から図５を参照して説明する。
【実施例１】
【００１４】
先ず図１の符号１は、本発明の適用された可変間仕切りの斜視図で、可変パネル本体の大部分が格納された状態を示す図である。図２は、同じく、可変間仕切りの斜視図で、可変間仕切りを突出させた状態を示す図である。
【００１５】
可変間仕切り１は、床面上に立設された基本仕切り体２と、平板状の可変パネル本体１１と、を有している。図１及び図２において、図の上方向が、床面に略垂直な方向を示す。図１の符号２ａは、基本仕切り体２のパネル面を示し、符号２ｂは、基本仕切り体側端面を示す。
【００１６】
基本仕切り体２は、床面上に立設され、複数のパネル３及び延長パネル５を組合わせて構成されている。隣接するパネル３の間にはレール４が設けられており、レール４は、オプション部材が取り付け可能な溝部を有している。
【００１７】
パネル３の上端部には延長パネル５が上方に向かって延設される。延長パネル５の少なくとも一部に透光性を有する透光部を設けることで、視線を遮りながら光が通り抜けられるようにして、使用者に心理的な圧迫感を与えないようしている。
【００１８】
透光部は、視線を遮ることができるように半透明で、光が通り抜けられるように透光性を有したガラス、合成樹脂、紙、合成繊維等の素材が使用されている。透光部の色は、半透明乳白色、無地に限らず、使用者がリラックスできるような色、模様を有するものも使用することができる。
【００１９】
図１において、基本仕切り体２は、２枚のパネル３と１枚の延長パネル５とを組合わせて形成したが、延長パネルに代えて、パネル３を使用して、構成することもできる。
【００２０】
次に、平板状の可変パネル本体１１は、外周１２が、略円弧形状に形成されて、延長パネル５と同様に、少なくとも一部に透光性を有する透光部を設けられている。透光部の材質等は、延長パネル５と同じであり、説明を省略する。可変パネル本体１１は、外周１２が、略円弧形状に形成されているので、回動動作時に突出部が形成されることがなく、使用時の安全性を高めることができる。
【００２１】
図１に示すように、可変パネル本体１１は、基本仕切り体２のいずれかの表面から所定寸法離間した位置で、表面に沿って配設されており、可変パネル本体１１を基本仕切り体２の側端２ｂより内方にその大部分を格納することができる格納状態と、図２に示すように、可変パネル本体１１を基本仕切り体側端２ｂより外方にその大部分を突出させるように配置した突出状態との間で、態様を変更できる。このように、可変パネル本体１１の大部分を、格納させたり、突出させたりして、個別空間内の照度や、個別空間の使用者の心理的な状況に応じて、区画状態を変更することができる。また、使用者が医療行為等を受けるときには、可変パネル本体１１の大部分を格納できるので、医療行為等の妨げとなることもない。
【００２２】
可変パネル本体１１を、格納状態又は突出状態とする手段として、使用者が、可変パネル本体１１を取外して、約１８０度反転して取付けてもよいが、図３に示すように、可変パネル本体１１を回動可能に支持する支持部材を設けることができる。
【００２３】
図３に示すように、支持部材１５は、締結部材１６により可変パネル本体１１に固定され、マウンティングプレート１８は、締結部材２０によりベースプレート２１に固定される。そして、マウンティングプレート１８に立設された軸１９を支持部材１５に設けられた孔に挿入することで、可変パネル本体１１は、ベースプレート２１に対して回動自在に支持される。
【００２４】
ベースプレート２１に形成された爪部２３は、レール４の溝部に係合されることによって、ベースプレート２１は、基本仕切り体２に取り付けられ、可変パネル本体１１は、基本仕切り体２のパネル面２ａに対して略平行に回動可能となる。
【００２５】
また、支持部材１５には、急速な回転動作を規制するダンパー装置を一体に設けることができる。可変パネル本体１１を格納状態から突出状態に反転させる際、突出状態から格納状態に反転させる際に、ダンパー装置によって、可変パネル本体１１はゆっくり回動するので、使用者が基本仕切り体２と可変パネル本体１１との間に手を挟むリスクを低減し、使用時の安全性を高めることができる。
【００２６】
ストッパー２４は、図１のように、可変パネル本体１１を格納して停止させた状態と、図２のように、可変パネル本体１１を突出させて停止させた状態の２つの安定した位置で停止させる機能を有する。
【００２７】
可変パネル本体１１は、ストッパー２４の第１の当接面２５と当接する第１の側端部１３と、ストッパー２４の第２の当接面２６と当接する第２の側端部１４とを有する。また、ストッパー２４の第１の当接面２５及び第２の当接面２６の表面には、可変パネル本体１１が接触したときの音、力を緩和するため、緩衝材が設けられている。緩衝材の材料として、合成ゴム、シリコンゴム等、接触時の力を緩和するものが使用される。
【００２８】
可変パネル本体１１の第１の側端部１３をストッパー２４の第１の当接面２５と当接させることによって、図１のように、可変パネル本体１１は、その大部分を格納状態で、安定して停止させることができる。また、可変パネル本体１１は、支持部材１５により回動自在に支持されているので、容易に略１８０°反転させて、可変パネル本体１１の第２の側端部１４をストッパー２４の第２の当接面２６に当接させることによって、図２のように、可変パネル本体１１は、基本仕切り体側端２ｂより外方に突出状態で、安定して停止させることができる。
【００２９】
図４は、可変パネル本体１１を基本仕切り体側端２ｂより外方に突出して停止させた状態で、可変パネル本体１１と基本仕切り体側端２ｂとの間には、手掛け用の切り欠き部２７が形成されている。手掛け用の切り欠き部２７に手を入れて、可変パネル本体１１を略１８０°容易に反転させることができ、操作性の良い可変間仕切り１とすることができる。また、手掛け用の切り欠き部２７を設けることによって、可変パネル本体１１と基本仕切り体側端２ｂとの間に、手を挟むことがなくなるので、安全性も向上する。
【００３０】
図３の可変パネル本体１１は、基本仕切り体２に対し回動自在に支持されているが、図５のように、基本仕切り体２のパネル面２ａに対し、略平行にスライドするように支持してもよい。
【００３１】
図５において、支持部材は、ローラ３２を有しており、ローラ３２は可変パネル本体３１に取付けられている。ローラ３２は、摺動性が良好で、摩擦係数が低い材料からなる。基本仕切り体２には、レール３３が取付けられており、ローラ３２は、レール３３の溝内を摺動することで、可変パネル本体３１は、基本仕切り体２のパネル面２ａに対し、略平行にスライドできる。
【００３２】
周囲の視線を遮りたいときは、可変パネル本体３１を基本仕切り体側端２ｂより外方にスライドさせ、医療行為等を受けるときは、変パネル本体３１を基本仕切り体側端２ｂより内方にスライドさせて収納し、医療行為の妨げとならないようにすることができる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、ダンパー装置は、支持部材１５と一体に構成されているが、ダンパー装置として、エアシリンダ、スプリング等を使用して、支持部材１５と分離して構成としてもよい。
【符号の説明】
【００３５】
１                可変間仕切り
２                基本仕切り体
３                パネル
４                レール
５                延長パネル
１１              可変パネル本体
１５              支持部材（ダンパー）
２１              ベースプレート
２４              ストッパー
３１              可変パネル本体
３２              支持部材（ローラ）
【図１】
2015081419.tif 000003
【図２】
2015081419.tif 000004
【図３】
2015081419.tif 000005
【図４】
2015081419.tif 000006
【図５】
2015081419.tif 000007